(57)【要約】【課題】  ＩＣタグが取り付けられている取付対象物から脱落した場合自動的にＩＣタグが機能できなくなる、あるいは、ＩＣタグに外部から所定の力が加えられた場合に自動的にＩＣタグが機能できなくなるＩＣタグの取付対象物への取付構造。【解決手段】  ＩＣチップとアンテナとからなるＩＣタグを取付対象物に取り付けるＩＣタグの取付構造であって、アンテナは両端がＩＣチップに接続されているループ状アンテナであって、ループ状アンテナにより取付対象物を緊締した、あるいは、取付対象物に直接取付られる支持体と、支持体に取付られる外被体とを含み、ＩＣチップが支持体または外被体のいずれか一方に取付けられ、一端が当該ＩＣチップに接続されているアンテナの他端がアンテナが支持体と外被体との取付境界部を跨ぐように延びていて、取付対象物と支持体との間の取付強度の方が支持体と外被体との間の取付強度より大きいＩＣタグの取付構造。【選択図】  図１
2006227167.tif 000002
【特許請求の範囲】
【請求項１】
ＩＣチップとアンテナとからなるＩＣタグを取付対象物に取り付けるＩＣタグの取付構造であって、前記アンテナは両端が前記ＩＣチップに接続されているループ状アンテナであって、当該ループ状アンテナにより取付対象物を緊締しているＩＣタグの取付構造。
【請求項２】
ＩＣチップとアンテナとからなるＩＣタグを取付対象物に取り付けるＩＣタグの取付構造であって、取付対象物に直接取り付けられる支持体と、当該支持体に取り付けられる外被体とを含み、前記ＩＣチップが前記支持体または外被体のいずれか一方に取付けられ、一端が当該ＩＣチップに接続されているアンテナの他端が、当該アンテナが前記支持体と外被体との取付境界部を跨ぐように延びていて、前記取付対象物と支持体との間の取付強度の方が、前記支持体と外被体との間の取付強度より大きいことを特徴とするＩＣタグの取付構造。
【発明の詳細な説明】
【技術分野】
【０００１】
この発明は、ＩＣチップとアンテナとからなるＩＣタグを取付対象物に取り付けるＩＣタグの取付構造に関し、特に、ＩＣタグが取付対象物から脱落したときに、ＩＣタグが動作できなくなる、あるいは事実上、動作できなくなる、ＩＣタグの取り付け構造に関する。
【背景技術】
【０００２】
回路部を構成するＩＣチップにアンテナ部が接続されて構成されるＩＣタグは、前記アンテナ部と外部のＩＣタグリーダーに接続された外部アンテナ（ＩＣタグリーダーのアンテナ）を介して、外部のＩＣタグリーダーとＩＣチップとの間での情報の授受を行うものである。ＩＣタグのアンテナ部は、ループ状のアンテナが採用される場合がある。ＩＣタグが動作するためには、ＩＣチップとアンテナ部が接続され、かつアンテナ部が適切な形態を保っている必要がある。
【０００３】
ＩＣタグ自身に電源を持たないＩＣタグ（いわゆるパッシブタグ）は、アンテナ部を通じて、外部から給電される。この給電方式としては、主に電磁誘導方式とマイクロ波方式が採用されている。電磁誘導方式は、アンテナ部がループ状のアンテナである場合、リーダーが静磁界を発生させ、アンテナ部の移動等により、アンテナ部のループ状のアンテナを通過する磁束を変化させ、誘導電力を得る。この場合、アンテナのループが切断されると、給電できなくなり、ＩＣタグとして動作できなくなる。マイクロ波方式は、マイクロ波を用いて外部アンテナからＩＣタグに情報を送信する場合、搬送波であるマイクロ波のエネルギーをＩＣタグのアンテナ部を介して受け取る方式である。この場合、アンテナ部のアンテナの長さが短くなると、十分な電力の供給が受けられなくなる。
【０００４】
ＩＣタグは、遠隔読み出しができ、耐環境性に優れていることから商品のように流通環境におかれる物品に取り付けて、非接触で外部のＩＣタグリーダーとの間での情報の授受を行い、商品などの管理に広く使用されている。
【０００５】
ＩＣタグは、ＩＣタグとの間で無線通信を行う外部アンテナを、ＩＣタグが取り付けられている商品などが流通していく過程の拠点などに設置し、当該外部アンテナとＩＣタグとの間で情報の授受を行って商品の流通管理、在庫管理などに使用されるのが一般的である。したがって、ＩＣタグが商品などの取付対象物に取り付けられたまま、必要に応じて外部アンテナとの間で無線交信が行われるようになっていることを前提としている装置である。
【０００６】
このＩＣタグの利用形態の一つとして、ＩＣタグとの間での情報の授受が不可能になったことを把握することにより、ＩＣタグが取り付けられている商品などが破壊等されたことを認識する装置も提案されている。例えば、特開２００４−２５４７７５には、ＩＣタグと、当該ＩＣタグとの間で無線による交信を行う外部アンテナとを取付対象物を構成している２つの部材にそれぞれ配置し、前記２つの部材が破壊等によって取り外され、前記外部アンテナとＩＣタグとの間での交信が不能になったことを前記外部アンテナと交信する拠点側端末から認識することにより、取付対象物等に破壊等が行われたことを認識する装置が提案されている。
【特許文献１】特開２００４−２５４７７５
【発明の開示】
【発明が解決しようとする課題】
【０００７】
ＩＣタグの利用形態の一つとして、ＩＣタグを位置が固定されている取付対象物に取り付け、当該ＩＣタグからそれが設置されている位置に関する情報（位置情報）を取得するものが考えられている。
【０００８】
例えば、ＩＣタグを用いて次のようにすることにより自分の位置を知ることができる。すなわち、ＩＣタグを測位に利用することができる。ＩＣタグを電柱のように設置位置・配置位置が固定されている取付対象物に取り付け（固定し）、ＩＣタグの位置（すなわち、電柱の位置）を予め計測し、ＩＣタグに記録された一連番号とその位置を無線のネットワークと通信可能なサーバコンピュータに記録しておく。このＩＣタグを測位に利用しようとしている人が、自分が持っているＩＣタグリーダーで前記のＩＣタグの情報を読みとり、その場（前記ＩＣタグが電柱に固定されている位置の近辺）から、前記サーバコンピュータに無線でネットワーク接続し、読みとったＩＣタグの一連番号に対応する位置を問い合わせる。そして、サーバコンピュータから当該ＩＣタグの一連番号に対応する位置情報を得ることにより、自分の位置を把握することができる。
【０００９】
このような利用形態の場合、あらかじめ定められた位置に配置された取付対象物からＩＣタグが取り外された場合、例えば、脱落等したときに、依然として当該ＩＣタグとの間で無線交信可能にあるとすれば、かえって、位置情報収集としての意味をなさなくなってしまう。
【００１０】
このような場合、ＩＣタグが脱落等によって取付対象物から取り外される状態になったときに、自動的にＩＣタグとしての機能を発揮できなくなるようになれば便利である。
【００１１】
ＩＣタグの利用形態の一つとして前述したように、ＩＣタグとの間での情報の授受が不可能になったことを把握することにより、ＩＣタグが取り付けられている商品などが破壊等されたことを認識する装置が提案されている（特開２００４−２５４７７５）。これは、２つの構成部材からなる取付対象物の各構成部材に、ＩＣタグとタグリーダー側のアンテナとを、当該ＩＣタグとＩＣタグリーダー側のアンテナとが無線通信可能な所定間隔を隔てて対峙させて取り付け、不正に両者が引き離された場合には、ＩＣタグとＩＣタグリーダー側のアンテナとの間での無線通信が不能になって、不正な行為の発生を直ちに把握できるようにしたものである。すなわち、ＩＣタグと無線通信を行うＩＣタグリーダー側のアンテナとは対になっていて、両者の間で無線通信不能になったことを把握するものであった。
【００１２】
前述したように、設置位置・配置位置が固定されている取付対象物に取り付けられているＩＣタグとの間で自己が所持しているＩＣタグリーダーによって情報を読みとり、そのＩＣタグが存在している位置（すなわち、そのＩＣタグリーダーを所持している者の所在位置）を把握できるようにする場合、設置位置・配置位置が固定されている取付対象物に取り付けられているＩＣタグと対になっているＩＣタグリーダーのアンテナを介して情報を読みとるという形態ではなく、任意のＩＣタグリーダーで前記設置位置・配置位置が固定されている取付対象物に取り付けられているＩＣタグから情報を読みとれる形態にする必要がある。
【００１３】
すなわち、設置位置・配置位置が固定されている取付対象物にＩＣタグを取り付け、これを測位に利用する、すなわち、この近辺に居て、自己が所持しているＩＣタグリーダーにより当該ＩＣタグから情報を読みとった者が、自分の所在している位置（当該ＩＣタグが取り付けられている前記の設置位置・配置位置が固定されている取付対象物の位置）を把握できるようにし、この目的のために、ＩＣタグが脱落等によって取付対象物から取り外される状態になったときに、自動的にＩＣタグとしての機能を発揮できなくなるようになる仕組み、構造はこれまで提案されていなかった。
【００１４】
この発明は、ＩＣタグが取り付けられている取付対象物からＩＣタグが脱落などによって取り外された場合、自動的に、ＩＣタグが機能できなくなる、あるいは、ＩＣタグに外部から所定の力が加えられた場合に、自動的に、ＩＣタグが機能できなくなるＩＣタグの取付対象物への取付構造を提案することを目的にしている。
【課題を解決するための手段】
【００１５】
前記目的を達成するため、本発明は、ＩＣチップとアンテナとからなるＩＣタグを取付対象物に取り付けるＩＣタグの取付構造であって、前記アンテナは両端が前記ＩＣチップに接続されているループ状アンテナであって、当該ループ状アンテナにより取付対象物を緊締しているＩＣタグの取付構造を提案するものである。
【００１６】
かかる本発明のＩＣタグの取付構造によれば、前記ループ状アンテナによって取付対象物が緊締されているため、このループ状アンテナを切断することなしにＩＣチップを取付対象物から取り外すことはできない。そこで、ＩＣタグが取り付け対象物から取り外される、例えば、取付対象物から脱落すると、前記ループ状アンテナが切断され、ＩＣタグが動作しなくなる。
【００１７】
また、前記目的を達成するために本願が提案する他の発明は、ＩＣチップとアンテナとからなるＩＣタグを取付対象物に取り付けるＩＣタグの取付構造であって、取付対象物に直接取り付けられる支持体と、当該支持体に取り付けられる外被体とを含み、前記ＩＣチップが前記支持体または外被体のいずれか一方に取付けられ、一端が当該ＩＣチップに接続されているアンテナの他端が、当該アンテナが前記支持体と外被体との取付境界部を跨ぐように延びていて、前記取付対象物と支持体との間の取付強度の方が、前記支持体と外被体との間の取付強度より大きいことを特徴とするものである。
【００１８】
このＩＣタグの取付構造によれば、取付対象物と支持体との間の取付強度の方が、支持体と外被体との間の取付強度より大きいので、支持体が取付対象物から取り外される前、例えば、脱落する前に、外被体が支持体から取り外される、例えば脱落する。この際、ＩＣタグを構成するＩＣチップが支持体または外被体のいずれか一方に取り付けられていて、ＩＣタグを構成し一端が当該ＩＣチップに接続されているアンテナの他端は、支持体と外被体との取付境界部を跨ぐように延びているので、前記のように外被体が支持体から取り外される、例えば外被体が脱落することにより、ＩＣチップとアンテナが分離され、あるいはアンテナが途中で切れることになる。これによって、一端がＩＣチップに接続されているアンテナの長さが短くなり、ＩＣタグの動作可能な範囲が大幅に短くなり、ＩＣタグとしては事実上動作できなくなる。
【発明の効果】
【００１９】
本発明のＩＣタグの取付構造によれば、ＩＣタグが取り付けられている取付対象物からＩＣタグが脱落などによって取り外された場合、自動的に、ＩＣタグが機能できなくなる、あるいは、ＩＣタグに外部から所定の力が加えられた場合に、自動的に、ＩＣタグが機能できなくなるＩＣタグの取付対象物への取付構造を提供できる。
【００２０】
そこで、例えば、ＩＣタグを電柱のように設置位置・配置位置が固定されている取付対象物に取り付け（固定し）、ＩＣタグの位置（すなわち、電柱の位置）を予め計測し、ＩＣタグに記録された一連番号とその位置を無線のネットワークと通信可能なサーバコンピュータに記録しておき、このＩＣタグを測位に利用しようとしている人が、自分が持っているＩＣタグリーダーで前記ＩＣタグの情報を読みとり、その場（前記ＩＣタグが電柱に固定されている位置の近辺）から、前記サーバコンピュータに無線でネットワーク接続し、読みとったＩＣタグの一連番号に対応する位置を問い合わせ、サーバコンピュータから当該ＩＣタグの一連番号に対応する位置情報を得ることにより、自分の位置を把握することが可能なシステム、すなわち、ＩＣタグを自己の位置の把握（測位）に利用するシステムを構築するときに、本発明が提案する取付構造を採用すれば、あらかじめ定められた位置に配置された取付対象物からＩＣタグが取り外された場合、例えば、脱落等したときに、自動的に当該ＩＣタグは機能できなくなる。そこで、このようなシステムが構築されたときに、自分が持っているＩＣタグリーダーでＩＣタグの情報を読みとり、その場から、前記サーバコンピュータに無線でネットワーク接続し、読みとったＩＣタグの一連番号に対応する位置を問い合わせ、サーバコンピュータから当該ＩＣタグの一連番号に対応する位置情報を得ることにより、自分の位置を把握しようとする人が、間違った位置情報を取得するおそれを無くすることができる。
【発明を実施するための最良の形態】
【００２１】
以下、添付図面を参照して本発明の好ましい実施形態を説明する。
【実施例１】
【００２２】
図１は、本発明の第一の実施形態を説明する斜視図である。
【００２３】
この実施例のＩＣタグの取付構造は、ＩＣチップ３とループ状アンテナ４とからで構成されるＩＣタグであって、ループ状アンテナ４の両端４ａ、４ｂがＩＣチップ３に接続されているＩＣタグ２を取り付け対象物に取り付けるのに適したものである。
【００２４】
両端４ａ、４ｂがＩＣチップ３に接続されているＩＣタグ２のループ状アンテナ４で取付対象物、例えば、設置位置があらかじめ定められている電柱１を緊締することにより、ＩＣタグ２が取付対象物たる電柱１に取り付けられている。
【００２５】
この実施例１のＩＣタグの取付構造によれば、ループ状アンテナ４によって取付対象物たる電柱１が緊締されているため、ループ状アンテナ４を切断することなしにＩＣチップ３を電柱１から取り外すことはできない。そこで、ＩＣタグ２が電柱１から取り外される、例えば、電柱１から脱落すると、ループ状アンテナ４が切断され、ＩＣタグ２が動作しなくなる。これによって、ＩＣタグ２が電柱１から取り外される、例えば、電柱１から脱落するとＩＣタグ２は自動的に動作しなくなる。
【００２６】
図１では円柱状の電柱１が取付対象物である場合を説明したが、両端４ａ、４ｂがＩＣチップ３に接続されているＩＣタグ２のループ状アンテナ４によって取付対象物が緊締され、ループ状アンテナ４を切断することなしにＩＣチップ３を取付対象物から取り外すことができないものであればよいので、取付対象物の形状は、図１図示のような円柱状のものに限らず、この実施例のＩＣタグの取り付け構造は、種々の形状、形態の取付対象物に対して採用可能である。
【実施例２】
【００２７】
図２は、この発明の他の好ましい実施例を説明するものである。
【００２８】
取付対象物５に支持体６が直接取り付けられており、この支持体６に対して外被体７が取り付けられている。
【００２９】
取付対象物５と支持体６との間は、取り付けねじ８、８によって強固に取り付けられているのに対して、支持体６と外被体７との間は接着剤９によって接着されているだけである。この結果、取付対象物５と支持体６との間の取付強度の方が、支持体６と外被体７との間の取付強度より大きくなっている。
【００３０】
そこで、ＩＣタグに所定の外力が加えられる等、図２図示の取り付け構造体に対して外部から所定の力が加えられた場合、支持体６が取付対象物５から取り外される（脱落する）より前に、外被体７が支持体６から取り外される（脱落する）。
【００３１】
ＩＣタグの構成部材の一つであるアンテナ１１、１２は、その一端１１ａ、１２ａを支持体６内に埋設されているＩＣチップ１０に接続し、他端１１ｂ、１２ｂをアンテナ１１、１２が支持体６と外被体７との取付境界部１３を跨ぐように延ばしているので、外被体７が支持体６から取り外される（脱落する）と、アンテナ１１、１２は、切断される。あるいはアンテナ１１、１２とＩＣチップ１０とが分離される。
【００３２】
これによって、一端１１ａ、１２ａがＩＣチップ１０に接続されているアンテナ１１、１２の長さが短くなり、あるいは、アンテナ１１、１２とＩＣチップ１０とが分離され、ＩＣタグの動作可能な範囲が大幅に短くなり、自動的に、ＩＣタグとしては事実上動作できなる。
【００３３】
なお、このように、取付構造体に対して外部から力が加えられ、支持体６が取付対象物５に強固な取付強度によって取り付けられているままでありながら、支持体６と取付対象物５との間の取付強度に比較して弱い支持体６と外被体７との間の取付強度に起因して外被体７のみが脱落した時に、自動的に、ＩＣタグとして機能できなくなるＩＣタグの取付構造であるから、支持体６が取付対象物５から取り外される（脱落する）より前に外被体７が支持体６から取り外される（脱落する）状態を生起させる前記のＩＣタグ、図２図示の取り付け構造体に対して外部から加えられる所定の力の大きさは、支持体６と取付対象物５との間の取付強度と、支持体６と外被体７との間の取付強度との間の差によって定められる範囲の大きさのものになる。
【００３４】
図２図示の実施形態では、ＩＣタグの構成部材であるＩＣチップ１０を支持体６に内蔵させておいたが、ＩＣチップ１０を外被体７に内蔵させておく形態にすることもできる。このようにすれば、取付構造体に対して外部から力が加えられ、支持体６が取付対象物５に強固な取付強度によって取り付けられているままでありながら、前記支持体６と取付対象物５との間の取付強度に比較して弱い支持体６と外被体７との間の取付強度に起因して外被体７のみが脱落すると、ＩＣタグの構成部材の一つであるアンテナ１１、１２は、その一端１１ａ、１２ａをＩＣチップ１０に接続し、他端１１ｂ、１２ｂをアンテナ１１、１２が外被体７と支持体６との取付境界部１３を跨ぐように延ばしているので、外被体７が支持体６から取り外された（脱落した）ことにより、切断され、あるいはアンテナ１１、１２とＩＣチップ１０とが分離され、アンテナ１１、１２の長さが短くなり、あるいは、アンテナ１１、１２とＩＣチップ１０とが分離され、ＩＣタグの動作可能な範囲が大幅に短くなり、自動的に、ＩＣタグとしては事実上動作できなる。
【００３５】
なお、この実施例では、取付対象物５と支持体６とを取り付けねじ８、８によって取り付け、支持体６と外被体７との間を接着剤９によって接着することによって、取付対象物５と支持体６との間の取付強度の方が、支持体６と外被体７との間の取付強度より大きくなるようにしていたが、取付対象物５と支持体６との間の取付強度の方が、支持体６と外被体７との間の取付強度より大きくなるものであれば、取付対象物５と支持体６との間の取り付け形態、支持体６と外被体７との間の取り付け形態は種々に変更可能である。
【００３６】
また取付対象物５への取り付けは、図２図示のように、取り付けねじ８、８に対応する位置に透孔１４ａ、１４ｂを備えている外被体７を接着剤によって支持体６と接着して図２図示の構造のものを準備した後、外被体７に設けられている透孔１４ａ、１４ｂを介して取り付けねじ８、８を取付対象物５に螺入することにより、支持体６を取付対象物５に取り付ける形態にすることができる。このようにすれば、予め準備した図２図示の構造のものを準備しておき、必要な現場において、簡単に、ＩＣタグを目的とする位置に取り付けることができる。
【図面の簡単な説明】
【００３７】
【図１】この発明の好ましい実施例を説明する斜視図。
【図２】この発明の他の好ましい実施例を説明する断面図。
【符号の説明】
【００３８】
１  電柱
２  ＩＣタグ
３  ＩＣチップ
４  ループ状アンテナ
４ａ、４ｂ  両端
５  取付対象物
６  支持体
７  外被体
８  取り付けねじ
９  接着剤
１０  ＩＣチップ
１１、１２  アンテナ
１１ａ、１２ａ  アンテナの一端
１１ｂ、１２ｂ  アンテナの他端
１３  取付境界部
【図１】
2006227167.tif 000003
【図２】
2006227167.tif 000004